(57)【要約】【課題】背部が劣化し難いと共に、背部の幅を自由に設定しやすいフォトブックの製作方法及び、このようなフォトブックを提供する。【解決手段】フォトブック１は、一方の面に画像５が表示されると共に、略中央に位置する谷折りされた境界４よりも左側にある左領域（２Ａ、３Ａ）と、境界４よりも右側にある右領域（２Ｂ、３Ｂ）とに分けられた２枚の印画紙（第１番目の印画紙２、第２番目の印画紙３）を備える。第１番目の印画紙２の右領域２Ｂの、画像が表示されていない他方の面と、第２番目の印画紙３の左領域３Ａの、画像が表示されていない他方の面とが接着される。【選択図】図１
2011104944.tif 000002
【特許請求の範囲】
【請求項１】
画像をＮ（Ｎ≧２）枚の印画紙の一方の面にプリントするプリント工程と、
該プリント工程で画像がプリントされた前記印画紙の略中央の位置を谷折りして、谷折りされた境界よりも一方側にある一方側領域と、前記境界よりも他方側にある他方側領域とに分ける谷折り工程と、
該谷折り工程で谷折りされた、第ｎ（ｎ＜Ｎ）番目の前記印画紙の他方側領域の他方の面と、第（ｎ＋１）番目の前記印画紙の一方側領域の他方の面とを接着する第１の接着工程と、
一方の面に画像がプリントされたカバー部材の他方の面と、第１番目の前記印画紙の一方側領域の他方の面および第Ｎ番目の前記印画紙の他方側領域の他方の面とを接着する第２の接着工程とを有する
フォトブックの製作方法。
【請求項２】
一方の面に画像が表示されると共に、略中央に位置する谷折りされた境界よりも一方側にある一方側領域と、前記境界よりも他方側にある他方側領域とに分けられたＮ（Ｎ≧２）枚の印画紙を備え、
第ｎ（ｎ＜Ｎ）番目の前記印画紙の他方側領域の他方の面と、第（ｎ＋１）番目の前記印画紙の一方側領域の他方の面とが接着された
フォトブック。
【請求項３】
第１番目の前記印画紙の一方側領域の他方の面および第Ｎ番目の前記印画紙の他方側領域の他方の面に画像が表示された
請求項２に記載のフォトブック。
【請求項４】
第１番目の前記印画紙の一方側領域の他方の面および第Ｎ番目の前記印画紙の他方側領域の他方の面に、補強部材を介して接着されたカバー部材を備える
請求項２に記載のフォトブック。
【請求項５】
第１番目の前記印画紙の一方側領域の他方の面および第Ｎ番目の前記印画紙の他方側領域の他方の面に形成された保護膜を備える
請求項３に記載のフォトブック。
【請求項６】
少なくとも１枚の前記印画紙は、一方側領域および他方側領域に連続して画像が表示された
請求項２〜５のいずれか１つに記載のフォトブック。
【発明の詳細な説明】
【技術分野】
【０００１】
本発明はフォトブックの製作方法及びフォトブックに関する。詳しくは、印画紙を用いた、フォトブックの製作方法及びフォトブックに係るものである。
【背景技術】
【０００２】
書籍には、雑誌や文庫本に見られる並製本（ソフトカバー）や、高価な単行本に見られる上製本（ハードカバー）などがある。
並製本は、簡単な出版物であり、コストを抑えるために、糊で背部を貼り付けた無線綴じや、雑誌などに見られる針金で綴じる平綴じや中綴じを用いることが多い。
また、上製本も並製本と同じく、背部を接着剤で固めた無線綴じが用いられている。上製本は、中本を守るために中本よりある程度幅広くなっている厚い表紙と、さらに見返しが設けられた構造になっており、外見上見栄えが良く、耐久性にも優れている。
【０００３】
例えば、特許文献１には、図４に示すような上製本材セットが記載されている。すなわち特許文献１には、見返し用表紙シート１０７となる簡易製本用素材を用いて本文用に突き揃えた用紙１１０の背部にホットメルト樹脂接着剤層１０９が当たるようにした後、見返し用表紙シート１０７となる簡易製本用素材の背部にアイロン等を当てる方法などで加熱してホットメルト樹脂を溶融し、本文を簡易に無線綴じした書籍１１１の形態とし、上製本用表紙素材１０１の外側への折り返し部１０５より中央部分である背部の内側部分に設けられた接着剤層の剥離紙を剥がして、書籍１１１を挟み込むようにして接着するだけで、上製本化が簡単に行なわれる旨記載されている。
【先行技術文献】
【特許文献】
【０００４】
【特許文献１】実開平６−４６９５９号公報
【発明の概要】
【発明が解決しようとする課題】
【０００５】
しかしながら、特許文献１の発明のように、背部のみで樹脂によって無線綴じされた書籍は、書籍を何度も使用していくうちに背部が劣化しやすく、また、各頁には通常の薄い紙が使用されているので、背部の内側部分に谷間が生じてしまい、例えば写真集において、左右の頁にまたがって位置する写真が見えにくくなっていた。
さらに、特許文献１の発明は、背部のみで無線綴じされた書籍を、表紙素材の背部の内側部分で挟み込むようにして接着して製本するので、無線綴じされた書籍の背部の幅と、表紙素材の背部の幅とを整合させる必要があり、よって、背部の幅を自由に設定するためには、背部の幅が異なる様々な表紙素材を用意する必要があり、実際には背部の幅を自由に設定し難かった。
【０００６】
本発明は、以上の点に鑑みて創案されたものであり、背部が劣化し難いと共に、背部の幅を自由に設定しやすいフォトブックの製作方法及び、このようなフォトブックを提供することを目的とする。
【課題を解決するための手段】
【０００７】
上記の目的を達成するために、本発明のフォトブックの製作方法は、画像をＮ（Ｎ≧２）枚の印画紙の一方の面にプリントするプリント工程と、該プリント工程で画像がプリントされた前記印画紙の略中央の位置を谷折りして、谷折りされた境界よりも一方側にある一方側領域と、前記境界よりも他方側にある他方側領域とに分ける谷折り工程と、該谷折り工程で谷折りされた、第ｎ（ｎ＜Ｎ）番目の前記印画紙の他方側領域の他方の面と、第（ｎ＋１）番目の前記印画紙の一方側領域の他方の面とを接着する第１の接着工程と、一方の面に画像がプリントされたカバー部材の他方の面と、第１番目の前記印画紙の一方側領域の他方の面および第Ｎ番目の前記印画紙の他方側領域の他方の面とを接着する第２の接着工程とを有する。
【０００８】
また、上記の目的を達成するために、本発明のフォトブックは、一方の面に画像が表示されると共に、略中央に位置する谷折りされた境界よりも一方側にある一方側領域と、前記境界よりも他方側にある他方側領域とに分けられたＮ（Ｎ≧２）枚の印画紙を備え、
第ｎ（ｎ＜Ｎ）番目の前記印画紙の他方側領域の他方の面と、第（ｎ＋１）番目の前記印画紙の一方側領域の他方の面とが接着されたものである。
【０００９】
ここで、印画紙は、通常の印刷に用いられる紙よりも厚いため、背部の内側部分に谷間が生じ難い。
また、第ｎ（ｎ＜Ｎ）番目の印画紙の他方側領域の他方の面と、第（ｎ＋１）番目の印画紙の一方側領域の他方の面とが接着されているので、背部で綴じる必要がなく、さらに、第（Ｎ＋１）番目の印画紙の一方側領域の他方の面を、第（ｎ＋１）番目の印画紙の他方側領域の他方の面に接着することで枚数を増やすことができる。
【００１０】
また、本発明のフォトブックにおいて、第１番目の印画紙の一方側領域の他方の面および第Ｎ番目の印画紙の他方側領域の他方の面に画像が表示された場合、第１番目の印画紙の一方側領域の他方の面をそのまま表表紙に、第Ｎ番目の印画紙の他方側領域の他方の面をそのまま裏表紙にそれぞれすることができる。
【００１１】
さらに、本発明のフォトブックは、第１番目の印画紙の一方側領域の他方の面および第Ｎ番目の印画紙の他方側領域の他方の面に、補強部材を介して接着されたカバー部材を備える場合、内部の印画紙を保護することができる。
【００１２】
また、本発明のフォトブックは、第１番目の印画紙の一方側領域の他方の面および第Ｎ番目の印画紙の他方側領域の他方の面に形成された保護膜を備える場合、カバー部材を備えなくても内部の印画紙を保護することができる。
【００１３】
また、本発明のフォトブックにおいて、少なくとも１枚の印画紙は、一方側領域および他方側領域に連続して画像が表示された場合、画像をパノラマのように表示することができる。
【発明の効果】
【００１４】
本発明に係るフォトブックの製作方法は、背部が劣化し難いと共に、背部の幅を自由に設定しやすいフォトブックを製作できる。
本発明に係るフォトブックは、背部が劣化し難いと共に、背部の幅を自由に設定しやすい。
【図面の簡単な説明】
【００１５】
【図１】本発明のフォトブックの第１の態様の概略分解図である。
【図２】本発明のフォトブックの第２の態様の概略分解図である。
【図３】本発明のフォトブックの第２の態様の概略断面図である。
【図４】従来の本の製本時の状態を示す概略図である。
【発明を実施するための形態】
【００１６】
以下、本発明の実施の形態について図面を参照しながら説明し、本発明の理解に供する。
図１は、本発明のフォトブックの第１の態様の概略分解図である。図１において、本発明のフォトブック１は、一方の面に画像５が表示されると共に、略中央に位置する谷折りされた境界４よりも左側にある左領域（２Ａ、３Ａ）と、境界４よりも右側にある右領域（２Ｂ、３Ｂ）とに分けられた２（Ｎ＝２）枚の印画紙（第１番目の印画紙２、第２番目の印画紙３）を備える。
また、第１番目の印画紙２の右領域２Ｂの、画像が表示されていない他方の面と、第２番目の印画紙３の左領域３Ａの、画像が表示されていない他方の面とが接着される。
さらに、第１番目の印画紙２の左領域２Ａおよび右領域２Ｂに連続して画像５が表示される。
また、印画紙の全体の枚数が２枚であるため、第１番目の印画紙２の左領域２Ａの他方の面や、第２番目の印画紙３の右領域３Ｂの他方の面に画像や文字が表示され、ぞれぞれの面を表表紙および裏表紙とすることができる。またこの場合、第１番目の印画紙２の左領域２Ａの他方の面や第２番目の印画紙３の右領域３Ｂの他方の面は、常に外側に露出しているので、傷が付きにくくしたり、紫外線による劣化を抑制したりするために、第１番目の印画紙２の左領域２Ａの他方の面や第２番目の印画紙３の右領域３Ｂの他方の面に保護膜が形成される。
【００１７】
ここで、印画紙の枚数が２枚である場合を例に挙げて説明しているが、必ずしも２枚でなくてもよいことは勿論である。また、印画紙の枚数を３枚以上にする場合は、２枚の場合と同様に、第２番目の印画紙の右領域の他方の面と、第３番目の印画紙の左領域の他方の面とが接着され、第３番目の印画紙の右領域の他方の面と、第４番目の印画紙の左領域の他方の面とが接着される、というように各印画紙が接着される。
また、本発明のフォトブックが、一方の面に画像が表示されると共に、略中央に位置する谷折りされた境界よりも一方側にある一方側領域と、この境界よりも他方側にある他方側領域とに分けられたＮ（Ｎ≧２）枚の印画紙を備え、第ｎ（ｎ＜Ｎ）番目の印画紙の他方側領域の他方の面と、第（ｎ＋１）番目の印画紙の一方側領域の他方の面とが接着されているのであれば、必ずしも保護膜は形成されなくてもよい。しかし、保護膜が形成されていれば、別途、表紙などを取付けなくても内部の印画紙を保護することができるので好ましい。
また、印画紙とは、写真フィルムに記録された画像を陽画として記録するための、感光材料が塗布された紙であり、本発明で使用される印画紙としては、例えばバライタ紙やＲＣペーパーが挙げられ、また、モノクロ印画紙でもカラー印画紙でもよい。
また、印画紙のサイズも、どのようなサイズであってもよい。
【００１８】
図２は、本発明のフォトブックの第２の態様の概略分解図である。図２において、図１に示す部材と同じ部材には同じ符号が付されている。
図２において、本発明のフォトブック１は、一方の面に画像５が表示されると共に、略中央に位置する谷折りされた境界４よりも左側にある左領域（２Ａ、３Ａ）と、境界４よりも右側にある右領域（２Ｂ、３Ｂ）とに分けられた２枚の印画紙（第１番目の印画紙２、第２番目の印画紙３）を備える。
また、第１番目の印画紙２の右領域２Ｂの、画像が表示されていない他方の面と、第２番目の印画紙３の左領域３Ａの、画像が表示されていない他方の面とが接着される。
さらに、第１番目の印画紙２の左領域２Ａの他方の面や第２番目の印画紙３の右領域３Ｂの他方の面にプラスチックシート（補強部材の一例である。）６が接着される。また、プラスチックシート６の面積は、第１番目の印画紙２の左領域２Ａの他方の面の面積および第２番目の印画紙３の右領域３Ｂの他方の面の面積と略同じである。
また、プラスチックシート６を介して、第１番目の印画紙２の左領域２Ａの他方の面や第２番目の印画紙３の右領域３Ｂの他方の面にカバー部材７が接着される。また、カバー部材７の面積は、第１番目の印画紙２の面積や第２番目の印画紙３の面積と略同じである。
【００１９】
ここで、本発明のフォトブックが、一方の面に画像が表示されると共に、略中央に位置する谷折りされた境界よりも一方側にある一方側領域と、この境界よりも他方側にある他方側領域とに分けられたＮ（Ｎ≧２）枚の印画紙を備え、第ｎ（ｎ＜Ｎ）番目の印画紙の他方側領域の他方の面と、第（ｎ＋１）番目の印画紙の一方側領域の他方の面とが接着されているのであれば、必ずしもプラスチックシートを介して、第１番目の印画紙の左領域の他方の面や第２番目の印画紙の右領域の他方の面にカバー部材が接着されなくてもよい。しかし、プラスチックシートを介して、第１番目の印画紙の左領域の他方の面や第２番目の印画紙の右領域の他方の面にカバー部材が接着されていれば、しっかりと内部の印画紙を保護することができる。
また、補強部材として必ずしもプラスチックシートを用いなくてもよく、例えば木製板を用いてもよい。また、補強部材を介さずにカバー部材を接着させることもできる。
【００２０】
図３は、本発明のフォトブックの第２の態様の概略断面図であり、図３（ａ）はフォトブックが閉じた状態を示し、図３（ｂ）はフォトブックが開いた状態を示す。図３において、図１や図２に示す部材と同じ部材には同じ符号が付されている。
図３（ｂ）に示すように、第１番目の印画紙２の右領域２Ｂの他方の面と、第２番目の印画紙３の左領域３Ａの他方の面とが接着されているので、フォトブック１を開いたとき、外見上は両面に画像が表示された１枚の印画紙のように見える。
また、図３（ｂ）から判るように、本発明のフォトブック１は、背部において樹脂などで接着されて製本されておらず、第１番目の印画紙２の右領域２Ｂの他方の面と、第２番目の印画紙３の左領域３Ａの他方の面とが接着されたり、プラスチックシート６を介して、第１番目の印画紙２の左領域２Ａの他方の面や第２番目の印画紙３の右領域３Ｂの他方の面にカバー部材７が接着されたりして製本されている。
【００２１】
以上のように、本発明のフォトブックは、第１番目の印画紙の右領域の他方の面と、第２番目の印画紙の左領域の他方の面とが接着されたり、プラスチックシートを介して、第１番目の印画紙の左領域の他方の面や第２番目の印画紙の右領域の他方の面にカバー部材が接着されたりして製本されているので、背部で綴じる必要がなく、さらに、第３番目の印画紙の左領域の他方の面を、第２番目の印画紙の右領域の他方の面に接着することで枚数を増やすことができる。よって、本発明のフォトブックは、背部が劣化し難いと共に、背部の幅を自由に設定しやすい。
また、印画紙１枚に画像を表示させ、半分に谷折りしているので、開いたとき、パノラマ的イメージを崩すことなく表現できる。
また、印画紙と印画紙を直接接着するため、制作が簡単で早く仕上げることができる。さらに接着シートを入れた本と比べると、本発明のフォトブックは薄く、スペース効率及び携帯性が向上する。
また、プラスチックシートを介してカバー部材を接着しているので、外部の衝撃による折れ等を防ぐことができる。
【００２２】
また、本発明のフォトブックの第１の態様では、カバー部材を取付けずに、第１番目の印画紙の左領域の他方の面や、第２番目の印画紙の右領域の他方の面に画像や文字が表示され、ぞれぞれの面をそのまま表表紙および裏表紙とすることができる。
また、この場合、第１番目の印画紙の左領域の他方の面や、第２番目の印画紙の右領域の他方の面に保護膜が形成されているので、第１番目の
印画紙の左領域の他方の面や、第２番目の印画紙の右領域の他方の面は、傷が付きにくく、紫外線による劣化を抑制できる。
【符号の説明】
【００２３】
１    フォトブック
２    第１番目の印画紙
２Ａ  左領域
２Ｂ  右領域
３    第２番目の印画紙
３Ａ  左領域
３Ｂ  右領域
４    境界
５    画像
６    プラスチックシート
７    カバー部材
【図１】
2011104944.tif 000003
【図２】
2011104944.tif 000004
【図３】
2011104944.tif 000005
【図４】
2011104944.tif 000006